(57)【要約】【課題】ウーハースピーカ若しくはサブ・ウーハースピーカを本体ユニットの空間部分に内蔵して、音楽のマニアやプロにも対応でき取扱いを容易にしたデスクトップ型パソコンを提供する。【解決手段】デスクトップ型パソコンを構成する本体ユニット内にウーハースピーカ若しくはサブ・ウーハースピーカを内蔵する。【選択図】    図１
2005301694.tif 000002
【特許請求の範囲】
【請求項１】
本体ユニットにウーハースピーカ若しくはサブ・ウーハースピーカを内蔵したことを特徴とするデスクトップ型パソコン。
【請求項２】
前記ウーハースピーカ若しくはサブ・ウーハースピーカが前記本体ユニットの底部若しくは上部に配設されている請求項１に記載のデスクトップ型パソコン。
【発明の詳細な説明】
【技術分野】
【０００１】
本発明はデスクトップ型パソコンに関し、特にウーハースピーカ若しくはサブ・ウーハースピーカを本体ユニットに内蔵したデスクトップ型パソコンに関する。
【背景技術】
【０００２】
現在デスクトップ型パソコンは世界的に普及しており、その概略構成は図４に示すようなものとなっている。即ち、デスクトップ型パソコン１は、演算処理のためのＣＰＵ（ＭＰＵを含めて）やデータの記憶等を行うメモリ等を具備する本体ユニット２に、表示装置３及びデータ入力や指示のためのキーボード４が接続され、更にデータ入力のためのマウス５が有線若しくは無線で接続されている。
【０００３】
このようなデスクトップ型パソコン１では、ＣＤの読込みやインターネット等からのダウンロードによって音楽を聴くことができるようになっている。また、操作やグリーティング等を音声で案内したりすることもあるため、通常のデスクトップ型パソコンでもスピーカは内臓されている。このようにデスクトップ型パソコンはスピーカを具備しており、スピーカを介して音楽を聴くことができるが、内蔵のスピーカは小型化されており、特に音楽を聴くための機能を有しておらず、特に低音の音質が悪く、音楽マニアやプロが聴けるものではない。
【０００４】
そのため、音楽のマニアやプロ達がパソコンで音楽を楽しむ場合には、図５に示すように別置きのウーハースピーカ（サブ・ウーハースピーカ）６を購入し、このウーハースピーカ６をパソコンの本体ユニット２に接続している。
【発明の開示】
【発明が解決しようとする課題】
【０００５】
図５に示すように、ウーハースピーカ６をパソコン１の本体ユニット２に接続する場合、本体ユニット２の所定個所に接続する労力がかかると共に、ウーハースピーカ６を置くためのスペースが余分に必要である。また、一般的なデスクトップ型のパソコンの本体ユニットには、スペース部分がかなり残っているのが現状である。
【０００６】
本発明は上述のような事情よりなされたものであり、本発明の目的は、ウーハースピーカ若しくはサブ・ウーハースピーカを本体ユニットの空間部分に内蔵させることにより、音楽のマニアやプロの要求にも応えることができ、しかも接続の労力もなく取扱いを容易にしたデスクトップ型パソコンを提供することにある。
【課題を解決するための手段】
【０００７】
本発明はデスクトップ型パソコンに関し、本発明の上記目的は、パソコンの本体ユニットにウーハースピーカ若しくはサブ・ウーハースピーカを内蔵することによって達成される。
【０００８】
また、上記目的は、前記ウーハースピーカ若しくはサブ・ウーハースピーカを前記本体ユニットの底部若しくは上部に配設することにより、より効果的に達成される。
【発明の効果】
【０００９】
本発明によれば、ウーハースピーカ若しくはサブ・ウーハースピーカがパソコンの本体ユニットに内蔵されているので、わざわざウーハースピーカ若しくはサブ・ウーハースピーカを購入してパソコンに接続する必要もなく、パソコン以上の余分なスペースを必要とすることもない。しかも、ウーハースピーカ若しくはサブ・ウーハースピーカが内蔵されているので、パソコンでも高品質で臨場感のある音楽を楽しむことが可能である。
【発明を実施するための最良の形態】
【００１０】
本発明では、利用者若しくは使用者が何の労力をかけることなく高品質の音楽を楽しめるように、ウーハースピーカ若しくはサブ・ウーハースピーカをパソコンの本体ユニットに内蔵させている。そのため、パソコン以上の余分なスペースを必要とすることもなく、低音領域においても高品質な音楽を楽しむことが可能である。
【００１１】
以下に、本発明の実施例を、図を参照して説明する。
【００１２】
図１は本発明の一実施例を図４に対応させて示しており、本体ユニット２内にウーハースピーカ（サブ・ウーハースピーカ）１０を内蔵させている。ウーハースピーカ１０の前面には２個のスピーカ１１及び１２が設けられており、スピーカ１１及び１２から音が出力される。ウーハースピーカ１０は、本体ユニット２内のメモリ、ＣＰＵ、ＣＤ−ＲＯＭ読取部等の配置部分に対するスペース部分に配設され、本体ユニット２の底部若しくは上部に電気的に接続されて配設される。
【００１３】
なお、ウーハースピーカ１０は図１では直方体状になっているが、形状は任意である。また、ウーハースピーカ１０が具備するスピーカの数も２個に限定されるものではなく、任意である。
【００１４】
図２はウーハースピーカ１０の配置例を示しており、本体ユニット２内にはメモリ、ＣＰＵ等の電子基盤２１，２２が設けられており、電子基盤２１，２２の下方の底部にウーハースピーカ１０を配設する。ウーハースピーカ１０の例えばスピーカ１１の放出面が、本体ユニット２の前面に接するように配置されている。これによって、パソコン本体２から音楽が出るような臨場感を得ることができる。
【００１５】
また、図３はウーハースピーカ１０の他の配置例を示しており、本体ユニット２内の電子基盤２１，２２の上方にウーハースピーカ１０を配設している。上部に配設しても、同様な効果を達成できる。
【００１６】
いずれにしても、本体ユニット２内の空間部分にウーハースピーカ１０を配置し、電子基盤と電気的に接続することにより、ウーハースピーカ１０より高品質で臨場感ある音楽を出力することができる。
【産業上の利用可能性】
【００１７】
本発明のデクトップ型パソコンはウーハースピーカを内蔵しているので、特に音楽（低音）の出力に優れ、音響分野の利用拡大に寄与する。
【図面の簡単な説明】
【００１８】
【図１】本発明の一例を示す概略外観図である。
【図２】本体ユニット内のウーハースピーカの一配置例を示す側断面図である。
【図３】本体ユニット内のウーハースピーカの他の配置例を示す側断面図である。
【図４】従来のデスクトップ型パソコンの一例を示す概略外観図である。
【図５】ウーハースピーカの接続例を示す図である。
【符号の説明】
【００１９】
１            デスクトップ型パソコン
２            本体ユニット
３            表示装置
４            キーボード
５            マウス
６            ウーハースピーカ（サブ・ウーハースピーカ）
１０          ウーハースピーカ（サブ・ウーハースピーカ）
１１，１２    スピーカ
２１，２２    電子基盤
【図１】
2005301694.tif 000003
【図２】
2005301694.tif 000004
【図３】
2005301694.tif 000005
【図４】
2005301694.tif 000006
【図５】
2005301694.tif 000007